(57)【要約】【課題】草刈り鎌のように、片手で把持して主として引く動作を伴う作業を行う手工具用の柄において、強く握らなくても滑りにくく、手で引く力を有効に作用させることができる把持柄を実現することを目的とするものである。【解決手段】上記課題を解決するために、把持柄１の柄尻部分に手工具の作動平面Ｘに対して略90度背面方向に向けて、突出部４を形成する。この突出部４は、把持した手の小指部分全体を支受するためのものである。把持柄１を把持し手元方向に引く動作を行うと、手で引く力が小指全体の外側面、すなわち手の小指側の外側面で、把持柄１の突出部４を押すように作用する。そのため、手と把持柄１表面との滑りを気にすることなく把持柄１を引く手の力を鎌の切刃３に効果的に作用させ、鎌による刈り取りなどの切断作業を能率的に行うことができる【選択図】  図１
0003126626.tif 000002
【実用新案登録請求の範囲】
【請求項１】
把持柄の柄尻部分に、手工具の作動平面に対して略90度背面方向に向けて、把持した手の小指部分全体を支受するための突出部を形成したことを特徴とする草刈り鎌などの手工具用把持柄。
【請求項２】
柄尻部分に形成する突出部よりも上方位置であって、該突出部と略90度の角度をなす把持柄外表面に、指掛かりのための凹所を形成したことを特徴とする請求項１記載の草刈り鎌などの手工具用把持柄。
【考案の詳細な説明】
【技術分野】
【０００１】
この考案は、草刈り鎌や草削り具のように、片手で把持して、主として引く動作を伴う作業を行う手工具用の把持柄に関する考案である。
【背景技術】
【０００２】
一般的な把持柄の形態として、把持柄を握った手の指が馴染むように、指の位置に合わせて複数の凹所を形成する思想、例えば各種グリップ形状が知られている。
しかしながら、草刈り鎌や草削り具などの手工具の柄は、一般的に略円柱もしくは楕円柱状のストレートな、木柄や金属柄などが採用されている。一部、手工具の柄において、柄尻部分に刃板の突出方向に膨らみを持たせたものも知られている。特許文献１には、握った手が滑りにくいように、柄の表面に指掛部を形成する思想が開示されている。
【特許文献１】特開２０００―９４３６５号公報
【考案の開示】
【考案が解決しようとする課題】
【０００３】
従来の一般的な鎌の柄は、ストレートなものであるため滑り易く、作業に支障を来たす場合があった。また、滑らないように強く握る場合は疲れ易く、作業能率が悪い欠点がある。柄尻部分に突起を設けた従来の柄では、指先部分での滑り止めを意識しているため、滑り止め効果が少なく、指先が擦れたりして疲労し易い欠点があり、把持柄を引く作業をともなう手工具用には不向きであった。
【０００４】
特許文献１に開示されている道具の柄は、柄の表面から突出させた指掛部を、人差し指や中指などに掛けることによって、鎌などの道具を安定させるものであるため、滑り止め効果は発揮する。しかしながら、作業時の力が特定の指や、指と指の間に作用するため、指と指の間が擦れるなどの欠点がある。
本考案は、上記従来技術の欠点に鑑み、草刈り鎌や草削り具のように、片手で把持して主として引く動作を伴う作業を行う手工具用の把持柄において、従来の鎌の柄のように強く握らなくても滑りにくく、手で引く力を鎌の切断作用に有効に作用させることができる把持柄を実現することを目的とするものである。
【課題を解決するための手段】
【０００５】
上記課題を解決するために、請求項１記載の考案は、把持柄１の柄尻部分に手工具の作動平面Ｘに対して略90度背面方向に向けて、突出部４を形成する。この突出部４は、把持した手の小指部分全体を支受するためのものである。
請求項２記載の考案は、請求項１記載の考案の突出部４に加えて、柄尻部分よりも上方位置に、突出部４と略90度の角度をなす把持柄１の外表面に、小指以外の指を安定的に位置させることができるように、指掛かりのための凹所５を形成したものである。
【考案の効果】
【０００６】
請求項１記載の考案によれば、把持柄１を握った状態で、例えば鎌を引くようにして切断作業を行ったとき、手で引く力が小指全体の外側面、すなわち手の小指側の外側面で、把持柄１の突出部４を押すように作用する。そのため、手と把持柄１表面との滑りを気にすることなく把持柄１を引く手の力を鎌の切刃３に効果的に作用させ、鎌による刈り取りなどの切断作業を能率的に行うことができる。
【０００７】
請求項２記載の考案によれば、請求項１記載の把持柄を実施する上において、握った手の位置と把持柄１の正確な位置関係を自然に保つことができ、請求項１記載の考案をより効果的に実施することができる。
【考案を実施するための最良の形態】
【０００８】
以下、本考案に係る草刈り鎌などの手工具用把持柄の実施形態を、添付の図面に基づいて説明する。
図１は本考案に係る把持柄を装着した鎌の斜視図、図２は左側面図、図３は平面図である。
【０００９】
図１は、本考案に係る手工具用把持柄を鎌に応用した一例を示す斜視図である。全体として略円柱などの棒状であって、片手で把持することができる太さ及び長さである把持柄１の先端部分に鎌の刃板２を固定し、刃板２の延長方向を仮想の作動平面Ｘとし、把持柄１を引っ張ることによって刃板２を作動平面Ｘに沿って移動させる。これにより、刃板２に形成した切刃３によって草などの切断作業を行う。換言すれば、把持柄１を持って刃板２を作動平面Ｘ、通常水平方向に移動させるようにして把持柄１を手元に引く動作で、例えば地表に生えている雑草や作物の茎の切断作業を行う。
【００１０】
把持柄１の柄尻部分には、背面方向に向けて突出部４を形成している。すなわち、突出部４の突出方向Ｙは、手工具の仮想の作動平面Ｘに対して、角度αの背面方向に向けて突出させたものである。角度αは略90度とし、把持した手Ａの小指ａ部分全体を支受することができるようにしている。突出部４の上面4aは、手Ａの小指ａ外側面が当接するものであるため、なるべく当たりが柔らかくなるように、小指ａの表面に沿うような曲面に形成するとともに、上面4aに続く把持柄１表面に、小指ａの内側面が沿うべく周方向に凹所５を形成している。
【００１１】
周方向に凹所５を形成する結果、外観上柄尻部分に僅かなくびれが形成される。但し、凹所５は、右側面から背面及び左側面に至る範囲であるため、正面には現れない。凹所５の先端位置は、右利きの場合把持柄１の左側面に達する。左側面位置は、前記突出部４と略90度の角度位置であって、一般的なグリップにおける、指掛かりのための凹所位置に相当する。
【００１２】
上記、柄尻部分以外の把持柄１の形態は、特に限定されるものではない。図１に示す実施形態は、柄尻以外の部分をストレートに形成しているが、図２に示す実施形態では、突出部４の上方部分、すなわち把持柄１の背面部側面を、手の形状にフィットする緩やかな曲面に形成している。
【００１３】
本考案に係る把持柄１を握った状態では、図４や図５に示すように、手Ａの小指ａ外側面全体が把持柄１の突出部４に当接し、図５に矢印で示す把持柄１を引く方向の力が突出部４によって支受される。したがって、把持柄１を軽い力で握って柄尻方向に手を動かすと、手Ａの力が突出部４によって支受され、鎌の刃板２に形成した切刃３で草などを切断することができる。このとき、把持柄１を軽く握った状態であっても、把持柄１がすっぽ抜けるようなことがなく、確実に切断作業を行うことができる。
【００１４】
本考案に係る把持柄を握った状態では、小指の外側面全体が突出部４の上面4aに支受される。換言すれば、図６に示すように手の小指側の外側面全体で突出部４の上面4aを押すように作用し、指先だけに力が集中しないため力の無駄がないとともに、従来の指掛部を設けたもののように、作業のための力が特定の指の指先に集中するようなことがない。
【００１５】
把持柄１の柄尻以外の形状が、特に限定されるものではないことは、先に述べた通りであるが、把持したときに手が所定位置に安定するように、図７に示すように小指以外の指掛かりのために、指先形状に沿った凹所６を形成することもできる。この凹所６は、小指以外の指がフィットする位置、すなわち、図７に示すように把持柄の左側面(右利きの場合で、左利きの場合は逆)に、指の位置を定める程度の浅い状態で形成する。これにより、把持柄１の握り位置を安定させる上において有効である。
もっとも、本考案に係る把持柄においては、手の握り部分が軸方向(長手方向)に滑るものであっても、柄尻部分に形成された突出部４で全体の力を小指全体の側面で支受するものであり、滑りを止めるような深いものではない。
【図面の簡単な説明】
【００１６】
【図１】図１は、本考案に係る把持柄を装着した鎌の一例を示す斜視図、
【図２】図２は、本考案に係る把持柄を装着した鎌の一例を示す左側面図、
【図３】図３は、本考案に係る把持柄を装着した鎌の一例を示す平面図、
【図４】図４は、本考案に係る把持柄の柄尻から少し上位置における横断面図、
【図５】図５は、本考案に係る把持柄を握った状態の左側面図、
【図６】図６本考案に係る把持柄を握った状態の底面図、
【図７】図５は、本考案に係る把持柄の変形実施例を示す左側面図。
【符号の説明】
【００１７】
１…把持柄、  ２…刃板、  ３…切刃、  ４…突出部、  ５…凹所、  ６…凹所、  Ｘ…作動平面、  Ｙ…突出方向、  Ａ…手、  ａ…小指。
【図１】
0003126626.tif 000003
【図２】
0003126626.tif 000004
【図３】
0003126626.tif 000005
【図４】
0003126626.tif 000006
【図５】
0003126626.tif 000007
【図６】
0003126626.tif 000008
【図７】
0003126626.tif 000009